(57)【要約】【課題】組み立てやすい開閉器を提供する。【解決手段】開閉器１は、速結端子２と解除部５とボディ７１とカバー７０とを備える。解除部５は回転体５１及び操作部５２を有する。カバー７０は、操作部５２を通す開口部７２と、回転体５１の回転軸（軸部５５の軸）と直交する側壁７４１とを有する。ボディ７１は構造体１００に固定される固定面７９を有する。ボディ７１とカバー７０とは互いに固定面７９に対して垂直な方向に結合される。側壁７４１及び解除部５のうち一方（解除部５）に回転体５１の回転軸（軸部５５の軸）を中心とする円弧状の溝５３が設けられ、他方（側壁７４１）に回転体５１の回転軸（軸部５５の軸）を中心とする円弧状の突起７３が設けられる。突起７３が溝５３に挿入された状態でカバー７０と解除部５とが組み合わされる。【選択図】図１
2017224535.tif 000002
【特許請求の範囲】
【請求項１】
電線に接する端子部と、前記端子部との間に前記電線を挟んで前記電線の抜け止めを行う抜止部を含む錠ばねと、を有する速結端子と、
端子と、
前記速結端子及び前記端子の間の電路に設けられ、前記速結端子及び前記端子を電気的に接続及び遮断する接点部と、
回転可能に構成された回転体、及び前記回転体の回転軸と直交する方向に前記回転体から突出する操作部を有する解除部と、
ボディ及びカバーを有し、前記速結端子、前記接点部、及び前記回転体を収納する器体と、
を備え、
前記回転体は、前記抜止部に接する接触部を有し、
前記接触部は、前記操作部の操作に応じて前記端子部と前記抜止部との間隔を広げる向きに前記抜止部を押すように構成され、
前記ボディは、外部の構造体に固定される固定面を有し、
前記カバーは、前記操作部を通す開口部と、前記回転軸と直交する側壁と、を有し、
前記ボディと前記カバーとは、互いに前記固定面に対して垂直な方向において結合され、
前記側壁及び前記解除部のうち一方に、前記回転軸を中心とする円弧状の溝が設けられ、
他方に、前記回転軸を中心とする円弧状の突起が設けられ、
前記突起が前記溝に挿入された状態で前記カバーと前記解除部とが組み合わされるように構成された
ことを特徴とする開閉器。
【請求項２】
前記溝は、前記解除部に設けられ、
前記突起は、前記側壁に設けられた
ことを特徴とする請求項１に記載の開閉器。
【請求項３】
前記操作部は、前記回転軸と前記操作部の突出方向との両方に直交する方向を厚さ方向とする板状に形成され、
前記操作部の移動方向において前記突起と前記開口部の周縁との間には、前記操作部の厚さより大きい隙間が設けられた
ことを特徴とする請求項２に記載の開閉器。
【請求項４】
前記端子部は、前記回転軸と交差する側板を有し、
前記回転体は、前記側板と平行する板部を更に有し、
前記端子部に前記電線が接していない状態で、前記抜止部における前記端子部に最も近い部位が、前記側板と前記板部との間に配置された
ことを特徴とする請求項１〜３の何れか１項に記載の開閉器。
【請求項５】
前記接触部は、前記板部から前記抜止部に近づく方向に突出する
ことを特徴とする請求項４に記載の開閉器。
【請求項６】
前記器体は、前記電線が挿入される挿入孔を更に有し、
前記解除部は、前記開口部から露出可能なマークを有し、前記挿入孔に挿入された前記電線の挿入量が所定量に達すると、前記開口部から前記マークが露出するように構成された
ことを特徴とする請求項１〜５の何れか１項に記載の開閉器。
【発明の詳細な説明】
【技術分野】
【０００１】
本発明は、開閉器に関し、特に、速結端子を備えた開閉器に関する。
【背景技術】
【０００２】
従来、端子と、圧着ばねと、リリースレバーと、ケーシングと、を備えた端子装置が知られている（例えば特許文献１参照）。特許文献１に記載の端子装置のケーシングは、ベース部と、カバー部と、からなる。ベース部は、端子と、圧着ばねと、リリースレバーと、を下方から覆う。カバー部は、端子と、圧着ばねと、リリースレバーの一部と、を上方から覆う。
【０００３】
リリースレバーは、操作ハンドル部と、枢軸と、を有する。リリースレバーの操作ハンドル部は、枢軸から上方に突出している。リリースレバーの枢軸は、ケーシングのベース部に軸支される。操作ハンドル部は、ケーシングのカバー部に設けられた孔を通ってカバー部から外部に突出している。リリースレバーは、傾動角の範囲内で枢動自在となっている。リリースレバーは、回転操作に応じて圧着ばねと端子との間隔を広げる。リリースレバーは、配線の芯線を端子から取り外す際に回転操作される。
【先行技術文献】
【特許文献】
【０００４】
【特許文献１】特開２０００−２６０５０１号公報
【発明の概要】
【発明が解決しようとする課題】
【０００５】
特許文献１に記載の端子装置において、リリースレバーの枢軸は、ベース部に軸支され、かつ操作ハンドルがカバー部から上方に突出する。ベース部とカバー部とは、上下方向に分割可能に構成されている。作業者は、端子装置を組み立てる際に、ベース部にリリースレバーの枢軸を支持させた状態を維持しつつ、リリースレバーの操作ハンドル部をカバーの孔に通さなければならず、組立作業の作業性がよくなかった。
【０００６】
本発明は上記課題に鑑みてなされ、組み立てやすい開閉器を提供することを目的とする。
【課題を解決するための手段】
【０００７】
本発明の一態様に係る開閉器は、速結端子と、端子と、接点部と、解除部と、器体と、を備える。前記速結端子は、電線に接する端子部と、前記端子部との間に前記電線を挟んで前記電線の抜け止めを行う抜止部を含む錠ばねと、を有する。前記接点部は、前記速結端子及び前記端子の間の電路に設けられ、前記速結端子及び前記端子を電気的に接続及び遮断する。前記解除部は、回転可能に構成された回転体、及び前記回転体の回転軸と直交する方向に前記回転体から突出する操作部を有する。前記器体は、ボディ及びカバーを有し、前記速結端子、前記接点部、及び前記回転体を収納する。前記回転体は、前記抜止部に接する接触部を有する。前記接触部は、前記操作部の操作に応じて前記端子部と前記抜止部との間隔を広げる向きに前記抜止部を押すように構成される。前記ボディは、外部の構造体に固定される固定面を有する。前記カバーは、前記操作部を前記カバーから突出させる開口部と、前記回転軸と直交する側壁と、を有する。前記ボディと前記カバーとは、互いに前記固定面に対して垂直な方向に結合される。前記側壁及び前記解除部のうち一方に、前記回転軸を中心とする円弧状の溝が設けられ、他方に、前記回転軸を中心とする円弧状の突起が設けられる。前記突起が前記溝に挿入された状態で前記カバーと前記解除部とが組み合わされるように構成されたことを特徴とする。
【発明の効果】
【０００８】
本発明では、組み立てやすい開閉器を提供することができる。
【図面の簡単な説明】
【０００９】
【図１】実施形態に係る開閉器の要部の分解斜視図である。
【図２】同上の開閉器の要部の部分断面図であり、図６Ｂに示す開閉器のＡ−Ａ線断面図である。
【図３】図３Ａは、同上の開閉器における更に別の要部の分解斜視図である。図３Ｂは、同上の開閉器における別の要部の斜視図である。
【図４】同上の開閉器における更に別の要部の分解斜視図である。
【図５】同上の開閉器における更に別の要部を説明するための断面斜視図である。
【図６】図６Ａ〜図６Ｃの各々は、同上の開閉器における要部の平面図である。
【図７】同上の開閉器における要部の部分断面図である。
【発明を実施するための形態】
【００１０】
以下の実施形態において説明する各図は、模式的な図であり、図１〜図７中の各構成要素の大きさや厚さそれぞれの比が、必ずしも実際の寸法比を反映しているとは限らない。
【００１１】
（実施形態）
本実施形態の開閉器１は、直流電流が流れる電路の開閉を行う開閉器である。開閉器１は、例えば、少なくとも１つの直流回路を開閉する用途などに使用できる。
【００１２】
本実施形態の開閉器１は、２つの速結端子２と、２つの端子３００（図２参照、ただし図２では１つのみ図示）と、２つの接点部２００（図２参照、ただし図２では１つのみ図示）と、２つの解除部５と、器体７と、を備える。開閉器１は、２つのガイド部材６と、操作ハンドル１０１と、を更に備える。
【００１３】
まず、開閉器１の概要について説明する。開閉器１は、図１に示すように、２つの速結端子２と、２つの解除部５と、器体７と、を備える。２つの速結端子２の各々は、電線１０４に接する端子部３１と、錠ばね４と、を有する。２つの解除部５の各々は、円柱状の軸部５５が設けられた回転体５１と、回転体５１から軸部５５の径方向に突出する操作部５２とを有し、軸部５５を中心に回転可能に構成される。器体７は、２つの挿入孔７７（図２参照、ただし図２では１つのみ図示）を有する。２つの挿入孔７７の各々には、電線１０４（図２参照）が挿入される。電線１０４は、一例として、より線の心線を有する絶縁電線である。電線１０４では、導電部１０５（図２参照）が心線である。
【００１４】
器体７は、ボディ７１及びカバー７０を有する。ボディ７１は、固定面７９を有する。固定面７９は、例えば、ボディ７１において、カバー７０と接する部位と反対側に設けられる。固定面７９は、開閉器１が外部の構造体１００に固定される際に構造体１００と接する面である。
【００１５】
器体７は、２つの速結端子２と、解除部５の回転体５１とを収納して軸部５５を支持する。カバー７０は、２つの操作部５２を通す２つの開口部７２を有する。ボディ７１とカバー７０とは、互いに固定面７９に対して垂直な方向に結合される。カバー７０は、例えば、ボディ７１にねじ止めなどにより結合される。２つの解除部５は、２つの開口部７２を通ってカバー７０から操作部５２を突出させる。解除部５は、軸部５５を中心に回転可能に構成されている。
【００１６】
開閉器１は、図２に示すように、端子３００と、接点部２００とを更に備える。開閉器１は、端子３００と、接点部２００とを２つずつ備えている。１つの接点部２００は、１つの速結端子２及び１つの端子３００の間の１つの電路３１０に設けられ、１つの速結端子２及び１つの端子３００を電気的に接続及び遮断する。
【００１７】
以下の説明では、図１〜図５及び図７に示すｘ，ｙ，ｚをそれぞれ指す矢印の方向をそれぞれ、ｘ軸方向の一方向、ｙ軸方向の一方向、ｚ軸方向の一方向と規定して説明する。ｚ軸方向は、開閉器１の固定面７９に対する垂直方向と平行である。ｙ軸方向は、ｚ軸方向から見たときの操作部５２の移動方向と平行である。ｘ軸方向は、ｙ軸方向とｚ軸方向との両方に直交する方向である。ここで、一方向と直交する方向とは、一方向に対して厳密に９０度であることに限定されず、例えば一方向に対して８５度〜９５度程度の角度をなす方向であってもよい。
【００１８】
器体７はｚ軸方向から見て外周形状が長方形の箱状に形成されている。器体７は、ボディ７１と、カバー７０と、からなる。ボディ７１とカバー７０との各々は、例えば、電気絶縁材料（合成樹脂等）により構成されている。
【００１９】
器体７におけるｙ軸方向と交差する側面のうち一方の側面には、２つの挿入孔７７が設けられている。２つの挿入孔７７は、ｘ軸方向に並んでいる。２つの挿入孔７７は、速結端子２に接続される電線１０４の導電部１０５を通すために設けられている。
【００２０】
器体７におけるｙ軸方向と交差する側面のうち他方の側面には、２つの挿入孔７１２（図２参照、ただし図２では１つのみ図示）が設けられている。２つの挿入孔７１２は、ｘ軸方向に並んでいる。２つの挿入孔７１２は、端子３００に接続される外部電線などを通すために設けられている。
【００２１】
カバー７０とボディ７１とは、内部空間に２つの速結端子２と、２つの接点部２００と、２つの解除部５と、を収納する。２つの速結端子２はｘ軸方向に並んでいる。２つの端子３００はｘ軸方向に並んでいる。２つの接点部２００はｘ軸方向に並んでいる。２つの解除部５とはｘ軸方向に並んでいる。１つの挿入孔７１２と、１つの端子３００と、１つの接点部２００と、１つの解除部５と、１つの速結端子２と、１つの挿入孔７７とは、この順にｙ軸方向に並んでいる。１つの端子３００と、１つの接点部２００と、１つの速結端子２とは、電気的に接続されて電路３１０が形成される。したがって、器体７では、２つの電路３１０がｘ軸方向に並んでいる。
【００２２】
カバー７０の詳細について図１〜図３及び図５を参照して説明する。
【００２３】
２つの開口部７２は、カバー７０におけるｚ軸方向と交差する面に設けられている。言い換えると、２つの開口部７２は、ボディ７１の固定面７９と対向する面に設けられている。２つの開口部７２と孔７６とはそれぞれ、カバー７０をｚ軸方向に貫通している。２つの開口部７２は、２つの解除部５の操作部５２を突出させる。孔７６は、操作ハンドル１０１を突出させる。
【００２４】
カバー７０の２つの開口部７２の各々は、２つの縁７２２と、縁７２１と、縁７２３とで囲まれている。２つの縁７２２は、ｙ軸方向に沿う。縁７２１と、縁７２３とは、ｘ軸方向に沿う。縁７２３は、縁７２１よりも挿入孔７７に近い側にある。
【００２５】
２つの縁７２２には、図１及び図５に示すように、側壁７４１，７４２が１つずつ設けられている。側壁７４１，７４２の各々は、軸部５５と直交し、かつ互いに平行する面を有する。側壁７４１は、縁７２２からボディ７１に向かって突出するように設けられている。側壁７４２（図５参照）は、側壁７４１と反対側の縁７２２付近に設けられており、側壁７４１と対向するように設けられている。
【００２６】
２つの開口部７２の各々において、側壁７４１，７４２の各々には、軸部５５を中心とする円弧状の突起７３が設けられている。２つの突起７３の各々は、軸部５５の軸方向に沿って互いに近づく方向に突出している。
【００２７】
ボディ７１の詳細について図１及び図２を参照して説明する。
【００２８】
ボディ７１は、２つの収納凹部７１３を有する。２つの収納凹部の各々は、ボディ７１においてｘ軸方向と直交する側壁７１５と、ボディ７１の底部７１１と、底部７１１からカバー７０に向かって突出する支持部７１６と、からなる。２つの収納凹部７１３は、２つの速結端子２を収納する。
【００２９】
支持部７１６は、カバー７０がボディ７１に取り付けられた状態で、カバー７０の側壁７４１の端部に接する。側壁７４１における支持部７１６と接する端部には、解除部５の軸部５５を支持する円弧状の凹部が設けられている。したがって、カバー７０の側壁７４１と、ボディ７１の支持部７１６とにより、解除部５の軸部５５は器体７に回転自在に支持される。
【００３０】
側壁７１５は、カバー７０がボディ７１に取り付けられた状態で、カバー７０の２つの側壁７２４の各々に接する。カバー７０の２つの側壁７２４は、カバー７０におけるｘ軸と交差する面を有する。カバー７０の２つの側壁７２４の内側面には、解除部５の軸部５５を支持する円弧状の凹部が設けられている。したがって、カバー７０の２つの側壁７２４の各々と、ボディ７１の側壁７１５とにより、解除部５の軸部５５は器体７に支持される。
【００３１】
ボディ７１とカバー７０とは、互いに固定面７９に対して垂直な方向（例えばｚ軸方向）に結合される。ボディ７１とカバー７０とは、一例として、１つの開口部７２から１つの解除部５の軸部５５に向く方向に結合される。
【００３２】
２つの解除部５の詳細について図１〜図４を参照して説明する。２つの解除部５は、例えば、電気絶縁性材料（合成樹脂等）からなる。２つの解除部５の各々は、回転体５１と、操作部５２と、を有する。回転体５１は、接触部５４と、軸部５５と、板部５６と、突出部５７と、を有する。以下、２つの解除部５のうち１つの解除部５について説明する。
【００３３】
解除部５の回転体５１は、一面５１１と、側面５１２とを有する略直方体形状に形成されている。回転体５１の軸部５５は、回転体５１からｘ軸方向の一方向と直交する側面５１２から一方向に突出している。また、軸部５５は、回転体５１における側面５１２と反対側の面からｘ軸方向の逆方向にも突出している。解除部５の軸部５５（回転体５１の軸部５５）は、カバー７０とボディ７１との間に配置された状態で支持される。
【００３４】
解除部５の操作部５２は、例えば長尺の板状に形成されている。操作部５２は、回転体５１から軸部５５の軸方向と直交する方向に突出している。操作部５２は、長手方向が軸部５５の軸方向と直交する方向に沿っている。解除部５の操作部５２は、短手方向が軸部５５の軸方向に沿っている。操作部５２の厚さ方向は、軸部５５の軸方向と操作部５２の突出方向との両方に直交する方向である。
【００３５】
解除部５の操作部５２におけるｙ軸方向の一方向側の一面と、解除部５の回転体５１におけるｙ軸方向の一方向側の一面５１１とは、略面一になっている。回転体５１は、軸部５５の周方向に沿う曲面を有する湾曲部５１３を更に有する。湾曲部５１３は、操作部５２よりもｙ軸方向の逆方向側に設けられている。湾曲部５１３には、図３Ａに示すように、マークＭ１が設けられている。マークＭ１は、一例として、塗料及び２色成形などによって形成されている。マークＭ１は、例えば白色である。
【００３６】
解除部５には、２つの溝５３が設けられている。２つの溝５３は、解除部５の操作部５２における短手方向（軸部５５の軸方向）の両側にそれぞれ設けられている。２つの溝５３の各々は、例えば、操作部５２と回転体５１との間に設けられている。２つの溝５３の各々は、回転体５１の厚さ（軸部５５の軸方向に沿う厚さ）を小さくするように設けられている。したがって、２つの溝５３の各々は、深さ方向（溝５３の開口から底に向かう方向）が軸部５５の軸方向に沿って互いに近づく方向に設けられている。解除部５の２つの溝５３の各々は、軸部５５を中心とする円弧状に設けられている。
【００３７】
２つの溝５３の幅（軸部５５の径方向に沿う幅）は、２つの突起７３の幅（軸部５５の径方向に沿う幅）よりも大きい。そのため、２つの溝５３には、２つの突起７３がそれぞれ挿入されるようになっている。
【００３８】
回転体５１の板部５６は、回転体５１の側面５１２側に設けられている。板部５６は、解除部５の軸部５５の軸と直交する一面を有する板状に形成されている。板部５６は、軸部５５よりもｚ軸方向の逆方向側に突出している。また、板部５６は、軸部５５よりもｙ軸方向の一方向側にも突出している。板部５６は、回転体５１の側面５１２と略面一となっている。
【００３９】
回転体５１の板部５６におけるｘ軸方向と逆方向側の一面には、図４に示すように、回転体５１の接触部５４が設けられている。接触部５４は、軸部５５よりもｙ軸方向の一方向側かつ軸部５５よりもｚ軸方向の逆方向側の位置に設けられている。接触部５４は、板部５６におけるｙ軸方向の一方向側の縁及び板部５６におけるｚ軸方向の逆方向側の縁の両方に近い部位から、ｘ軸方向の逆方向に突出している。接触部５４は、解除部５が回転移動した際に、錠ばね４の抜止部４２に接して抜止部４２をｚ軸方向の逆方向側に移動させる。接触部５４は、操作部５２の操作によって回転体５１が回転移動すると回転体５１の移動に応じて、端子部３１と抜止部４２との間隔を広げる向きに抜止部４２を押すために設けられている。
【００４０】
回転体５１の突出部５７は、図２に示すように、解除部５の回転体５１において解除部５の軸部５５よりもｙ軸方向の逆方向側に設けられている。突出部５７は、回転体５１からｚ軸方向の逆方向側に突出する。
【００４１】
解除部５は、解除部５の接触部５４が錠ばね４の抜止部４２から離れている位置（図２参照）と、抜止部４２に接して抜止部４２を電線１０４の導電部１０５から離す方向に押す位置（図７参照）とに移動自在である。
【００４２】
２つの速結端子２の詳細について、図１及び図２を参照して説明する。
【００４３】
２つの速結端子２の各々は、端子部３１と、錠ばね４と、を有する。端子部３１は、２つの速結端子２の各々が有する端子板３に設けられている。以下、２つの速結端子２のうち１つの速結端子２について説明する。
【００４４】
端子板３は、導電材料からなる。端子板３は、端子部３１と、導電板３４と、側板３２と、底板３３と、規制板３５と、を有する。端子部３１と、導電板３４と、側板３２と、底板３３と、規制板３５とは、例えば、１枚の板状部材を曲げ加工して形成されている。
【００４５】
端子部３１は、板状に形成されている。端子部３１は、ｚ軸方向と交差する平面を有する。端子部３１のｘ軸方向の逆方向側の端部には、側板３２が設けられている。側板３２は、ｘ軸方向と交差する平面を有している。側板３２は、端子部３１におけるｘ軸方向の逆方向側の端からｚ軸方向の逆方向に突出している。側板３２のｚ軸方向の逆方向側の端部には、底板３３が設けられている。底板３３は、長尺の板状に形成されている。底板３３は、長手方向がｙ軸方向に沿っている。底板３３は、端子部３１と平行している。底板３３のｙ軸方向の逆方向の縁部には、導電板３４が設けられている。導電板３４は、長手方向がｙ軸方向に沿う長尺の板状に形成されている。導電板３４は、ｚ軸方向と交差する平面を有する。導電板３４は、ｙ軸方向の逆方向側に突出している。
【００４６】
側板３２におけるｙ軸方向の逆方向側の端には、規制板３５が設けられている。規制板３５は、器体７の挿入孔７７の軸と交差する平面を有する。端子板３における端子部３１と、底板３３と、側板３２と、規制板３５とで囲まれる空間には、錠ばね４が配置される。
【００４７】
錠ばね４は、帯板状の導電板における長手方向の一端及び他端それぞれを曲げることによって形成されている。錠ばね４は、導電板の長手方向の一端により抜止部４２が構成され、導電板の長手方向の他端により電線１０４の導電部１０５を押圧する押圧部４３が構成されている。また、錠ばね４は、導電板の長手方向の中間部により、押圧部４３及び抜止部４２を支持する支持部４１が構成されている。押圧部４３は、Ｓ字状に形成されている。抜止部４２は、Ｊ字状に形成されている。抜止部４２は、ｙ軸方向の逆方向側に向かうにつれて端子部３１に近づくように設けられている。抜止部４２は、その弾性力によって、抜止部４２の先端４２１（図４参照）が電線１０４の導電部１０５に引っかかって導電部１０５の抜け止めを行う。言い換えると、抜止部４２は、端子部３１との間に電線１０４を挟んで電線１０４の抜け止めを行う。押圧部４３は、その弾性力によって、電線１０４の導電部１０５を端子板３の端子部３１に押し付ける。
【００４８】
以下、残りの構成の詳細について説明する。
【００４９】
２つのガイド部材６の各々は、図２に示すように、例えば、合成樹脂等からなり、略直方体形状に形成されている。２つのガイド部材６の各々は、１つの挿入孔７７と、１つの速結端子２の錠ばね４との間に配置されている。２つのガイド部材６の各々には、ガイド部材６を貫通する孔６１が設けられている。孔６１は、１つの挿入孔７７から、１つの速結端子２の錠ばね４の抜止部４２に向かって設けられている。２つのガイド部材６の各々は、１つの挿入孔７７に挿入される電線１０４の導電部１０５を、錠ばね４の抜止部４２と端子板３の端子部３１との間にガイドするために設けられている。
【００５０】
端子３００は、図２に示すように、導電板３０１と、可動板３０２と、ねじ３０３と、を有する。端子３００は、例えば、ピラー端子である。導電板３０１と、可動板３０２と、ねじ３０３とは、導電性の部材からなる。導電板３０１と、可動板３０２と、ねじ３０３とは、この順にｚ軸方向の一方向に沿って重なる。例えば、電線の導体を導電板３０１と可動板３０２との間に挿入した状態でねじ３０３をねじ込むことにより、端子３００と外部電線の導体とが接続される。
【００５１】
２つの接点部２００の各々は、１つの速結端子２及び１つの端子３００の間の電路３１０に設けられる。接点部２００は、導電板２０３と、可動接点２０１と、固定接点２０２と、を有する。固定接点２０２は、端子３００の導電板３０１におけるｙ軸方向一方向側の先端付近に設けられている。
【００５２】
導電板２０３は、導電部材からなる。導電板２０３は、長尺の板状に形成されていて、ｚ軸方向及びｙ軸方向に沿って撓む厚さに形成されている。導電板２０３の長手方向は、ｙ軸方向に沿う。導電板２０３におけるｙ軸方向の一方向側の一端は、端子板３の導電板３４と電気的に接続されている。導電板２０３と端子板３の導電板３４とは、例えばねじ止めなどによりボディ７１の底部７１１にねじ止めされている。導電板２０３におけるｙ軸方向の逆方向側の一端には可動接点２０１が設けられている。可動接点２０１は、固定接点２０２に対向している。
【００５３】
操作ハンドル１０１は、ｙ軸方向に軸を中心として回転可能である。操作ハンドル１０１は、カバー７０の孔７６を通ってカバー７０から突出している。操作ハンドル１０１は、例えば、２つの接点部２００を開閉させる開閉機構の動作を切り換える際に操作される。操作ハンドル１０１は、例えば、ｙ軸方向の逆方向側に移動させると、開閉機構に２つの接点部２００の各々を接続状態にするように構成されている。操作ハンドル１０１は、ｙ軸方向の一方向側に移動させると、開閉機構に２つの接点部２００の各々を遮断状態にするように構成されている。開閉機構については周知の技術であるため図示及び説明を省略する。
【００５４】
ここで、１つの解除部５と、器体７のカバー７０との関係について、図２及び図３Ａ，３Ｂを参照して説明する。
【００５５】
解除部５の操作部５２は、図３Ｂに示すように、カバー７０の隙間７５を通って開口部７２からｙ軸方向側に突出する。隙間７５は、操作部５２の移動方向（例えばｙ軸方向）においてカバー７０の突起７３と開口部７２の周縁との間の隙間である。隙間７５は、例えば、図３Ａに示すように、器体７のカバー７０に設けられた側部７８と突起７３との間に隙間である。側部７８は、開口部７２の縁７２３からボディ７１に向かって突出する。側部７８は、側壁７４１，７４２と直交する一面を有する。隙間７５は、側部７８から突起７３までの寸法が、操作部５２の厚さより大きい。
【００５６】
操作部５２が、カバー７０の側壁７４１，７４２における突起７３よりもｚ軸方向側に突出した状態で、操作部５２は、ｙ軸方向の逆方向側に移動させると、図３Ｂに示すように、２つの突起７３が、解除部５の２つの溝５３に挿入される。したがって、解除部５は、カバー７０の開口部７２内に配置された状態で、カバー７０に組み合わされている。例えば、作業者が、開閉器１の組立作業を行う際に、解除部５を開口部７２から突出させた状態でカバー７０をボディ７１に取り付ける場合、仮に、カバー７０と解除部５とが分離する状態では、作業者は組立作業をしにくい。これに対して、本実施形態の開閉器１における解除部５は、カバー７０に組み合わせることでカバー７０に解除部５を仮保持させることが可能であるため、作業者は、開閉器１の組立作業をしやすい。
【００５７】
また、解除部５の溝５３と、カバー７０の側壁７４１，７４２における突起７３との間の間隔（隙間）のうちｚ軸方向に沿う間隔が小さくなるように溝５３と突起７３とを設けることにより、解除部５のｚ軸方向のがたつきを押さえることが可能である。溝５３と突起７３とのｚ軸方向の間隔（隙間）が小さいほど、解除部５が回転移動する際に突起７３が溝５３をガイドする際のｚ軸方向のがたつきが抑えられて、解除部５が安定した状態で回転移動しやすくなる。
【００５８】
次に、２つの解除部５と、２つの錠ばね４と、２つの端子板３との関係について、図２及び図４を参照して説明する。以下では、１つの解除部５と、１つの錠ばね４と、１つの端子板３との関係について説明する。
【００５９】
端子板３の側板３２と、錠ばね４と、解除部５の板部５６とは、この順にｘ軸方向の一方向に沿って並んでいる。また、錠ばね４と、端子板３の端子部３１と、解除部５の軸部５５とは、この順にｚ軸方向の一方向に沿って並んでいる。
【００６０】
図４に示すように、錠ばね４の抜止部４２における先端４２１は、抜止部４２のうち端子部３１に最も近い部位である。錠ばね４の押圧部４３における凸部４３１は、押圧部４３のうち端子部３１に最も近い部位である。先端４２１と、凸部４３１とは、端子板３の側板３２と、解除部５の板部５６との間に配置されている。
【００６１】
解除部５の突出部５７は、端子板３の端子部３１と規制板３５との間から底板３３に向かって突出可能となっている。突出部５７は、図５に示すように、操作部５２がｙ軸方向の逆方向側に移動した状態で、端子板３の端子部３１と規制板３５との間から底板３３に向かって突出する。突出部５７は、端子板３の端子部３１と規制板３５との間から底板３３に向かって突出した状態で、錠ばね４と端子板３の端子部３１との間に挿入された電線１０４の導電部１０５に接する（図２参照）。
【００６２】
器体７のボディ７１における２つの収納凹部７１３の各々には、図５に示すように、リブ７１４が設けられている。リブ７１４は、器体７のボディ７１における側壁７１５から突出している。リブ７１４は、端子板３の規制板３５よりもｙ軸方向の逆方向側に設けられている。リブ７１４は、１つの挿入孔７７に挿入された電線１０４の導電部１０５が規制板３５に接した際に、規制板３５が導電部１０５に押されて導電部１０５の挿入方向（ｙ軸方向の逆方向）に移動することを抑制する。
【００６３】
ここで、電線１０４の導電部１０５が１つの速結端子２に電気的に接続されていない状態について図５及び図６Ａを参照して説明する。
【００６４】
解除部５の回転体５１は、器体７に収納された状態で、例えば、トーションばねなどの弾性部材によって、解除部５の操作部５２がｙ軸方向の逆方向側に移動する向きの力を受けている。操作部５２は、器体７の開口部７２における縁７２１に近い位置に配置されている。解除部５の操作部５２は、図６Ａに示すように器体７の開口部７２における縁７２１に近い位置に配置されている。そのため、解除部５のマークＭ１は開口部７２から露出していない状態となっている。また、電線１０４の導電部１０５が速結端子２に接続されていない状態では、突出部５７は、図５に示すように、端子板３の端子部３１と規制板３５との間から底板３３に向かって突出している。
【００６５】
次に、作業者が、電線１０４の導電部１０５を１つの速結端子２に電気的に接続する方法について、図２及び図６Ｂを参照して説明する。
【００６６】
作業者は、電線１０４の導電部１０５を、器体７の挿入孔７７と、ガイド部材６の孔６１とに通して奥に押し込む。導電部１０５は、錠ばね４の抜止部４２と、錠ばね４の押圧部４３とに接して、抜止部４２及び押圧部４３を、端子板３の端子部３１から遠ざかる方向に撓ませる。
【００６７】
導電部１０５はより線であるため、抜止部４２及び押圧部４３に接した際に、素線がばらばらになってｘ軸方向（錠ばね４の幅方向）に広がる可能性がある。しかしながら、錠ばね４は、ｘ軸方向に沿って端子板３の側板３２と、解除部５の板部５６との間に配置されているため、導電部１０５の素線がばらばらになっても、素線が速結端子２から器体７側に飛び出ていきにくくなっている。
【００６８】
作業者は、器体７の挿入孔７７から電線１０４を挿入し、その挿入量が所定量に達する位置まで電線１０４を押し込む。電線１０４の挿入量が所定量に達すると、電線１０４の導電部１０５が規制板３５に接する。導電部１０５が規制板３５に接した状態で、導電部１０５は、解除部５の突出部５７に接して突出部５７をｚ軸方向の一方向側（突出部５７の突出方向の逆方向側）に押し込んでいる。突出部５７が導電部１０５に押されることにより、解除部５の操作部５２は、ｙ軸方向の一方向側に回転移動する。解除部５のマークＭ１は、図６Ｂに示すように、器体７のカバー７０における開口部７２から露出する。マークＭ１は、電線１０４の導電部１０５が挿入孔７７に挿入され、かつその挿入量が所定量に達したことを示している。作業者は、器体７の開口部７２からマークＭ１を確認することにより、導電部１０５が速結端子２に接続されたことを確認できる。
【００６９】
また、挿入孔７７に電線１０４の導電部１０５が挿入されていて、かつ器体７の開口部７２から解除部５のマークＭ１が露出していない場合、電線１０４の導電部１０５の挿入量が所定量に達していない状態（不完全な接続状態）である。作業者は、電線１０４の導電部１０５を挿入孔７７に挿入した際に、開口部７２からマークＭ１が見えることを確認することで、導電部１０５と速結端子２とが不完全な接続状態とならないようにすることができる。
【００７０】
ところで、作業者が、電線１０４の導電部１０５を１つの速結端子２から抜き取る方法について、図６Ｃ及び図７を参照して説明する。
【００７１】
作業者は、開口部７２からマークＭ１が露出している状態で、解除部５の操作部５２をｙ軸方向の一方向側に引く。解除部５の接触部５４は、図７に示すように、回転移動して速結端子２の抜止部４２をｚ軸方向の一方向側に押す。作業者は、図６Ｃに示すように、操作部５２が器体７のカバー７０における開口部７２の縁７２３に近づくように、操作部５２をｙ軸方向の一方向側に引く。操作部５２が縁７２３に近づくように回転移動すると、抜止部４２は接触部５４に押されて電線１０４の導電部１０５から離れた状態となる。この状態で、作業者は、速結端子２から電線１０４の導電部１０５を引き抜くことができる。
【００７２】
以上説明したように、本実施形態の開閉器１は、速結端子２と、端子３００と、接点部２００と、解除部５と、器体７と、を備える。速結端子２は、電線１０４に接する端子部３１と、端子部３１との間に電線１０４を挟んで電線１０４の抜け止めを行う抜止部４２を含む錠ばね４と、を有する。接点部２００は、速結端子２及び端子３００の間の電路３１０に設けられ、速結端子２及び端子３００を電気的に接続及び遮断する。解除部５は、回転可能に構成された回転体５１、及び回転体５１の回転軸（例えば軸部５５の軸）と直交する方向に回転体５１から突出する操作部５２を有する。器体７は、ボディ７１及びカバー７０を有し、速結端子２、接点部２００、及び回転体５１を収納する。回転体５１は、抜止部４２に接する接触部５４を有する。接触部５４は、操作部５２の操作に応じて端子部３１と抜止部４２との間隔を広げる向きに抜止部４２を押すように構成される。ボディ７１は、外部の構造体１００に固定される固定面７９を有する。カバー７０は、操作部５２を通す開口部７２と、回転軸（軸部５５の軸）と直交する側壁７４１，７４２と、を有する。ボディ７１とカバー７０とは、互いに固定面７９に対して垂直な方向において結合される。側壁７４１，７４２及び解除部５のうち一方（例えば解除部５）に、回転軸（軸部５５の軸）を中心とする円弧状の溝５３が設けられ、他方（例えば側壁７４１，７４２）に、回転軸（軸部５５の軸）を中心とする円弧状の突起７３が設けられる。突起７３が溝５３に挿入された状態でカバー７０と解除部５とが組み合わされるように構成される。
【００７３】
上記構成によれば、カバー７０の側壁７４１，７４２における突起７３が解除部５の溝５３に挿入されることにより、解除部５は、カバー７０の開口部７２内に配置された状態でカバー７０に組み合わせ可能となる。そのため、作業者は、開口部７２に解除部５の操作部５２を組み合わせてカバー７０に解除部５を仮保持させた状態で、カバー７０をボディ７１に取り付ける作業を行うことができる。そのため、作業者が、例えば、ボディ７１の所定位置に解除部５が配置された状態で、カバー７０の開口部７２に解除部５の操作部５２を通してボディ７１とカバー７０とを組み合わせる場合と比べて、開閉器１の組立作業をしやすい。言い換えると、組み立てやすい開閉器１を実現することができる。
【００７４】
また、カバー７０の開口部７２内に配置された状態で、軸部５５を中心として移動する際に、突起７３と溝５３とが解除部５の回転移動をガイドすることにより、解除部５が安定した状態で回転移動しやすくなる。
【００７５】
本実施形態の開閉器１において、溝５３は、解除部５に設けられ、突起７３は、側壁７４１，７４２に設けられたことが好ましい。上記構成によれば、解除部５に突起７３が設けられている場合よりも、解除部５に溝５３が設けられている場合の方が、解除部５から突出する部位が少ないため、作業者は、解除部５をカバー７０の開口部７２に通しやすい。
【００７６】
本実施形態の開閉器１において、操作部５２は、回転軸（軸部５５の軸）と操作部５２の突出方向との両方に直交する方向を厚さ方向とする板状に形成されたことが好ましい。操作部５２の移動方向において突起７３と開口部７２の周縁（例えば側部７８）との間には、操作部５２の厚さより大きい隙間７５が設けられている。これにより、解除部５の操作部５２が開口部７２の周縁（側部７８）と突起７３との間に設けられた隙間７５を通された後に回転移動することで、側壁７４１，７４２の突起７３が解除部５の溝５３に挿入されて、解除部５が開口部７２に配置される。そのため、作業者は、開閉器１を組み立てる際に、解除部５を開口部７２内に配置しやすくなり、組立作業をしやすい。
【００７７】
本実施形態の開閉器１において、端子部３１は、回転軸（軸部５５の軸）と交差する一面を有する側板３２を有し、回転体５１は、側板３２と平行する一面を有する板部５６を更に有することが好ましい。端子部３１に電線１０４が接していない状態で、抜止部４２における端子部３１に最も近い部位（例えば先端４２１）が、側板３２と板部５６との間に配置されている。これにより、心線がより線からなる電線１０４が抜止部４２に接した際に、素線がばらばらになって錠ばね４の幅方向などに広がっても、素線が、回転体５１の板部５６と側板３２との間から器体７側に飛び出しにくくなっている。
【００７８】
本実施形態の開閉器１において、接触部５４は、板部５６から抜止部４２に近づく方向に突出することが好ましい。これにより、板部５６と接触部５４との間に隙間ができにくい。例えば、電線１０４の心線がより線である場合に、より線の素線がばらばらに広がっても、板部５６は、板部５６と接触部５４との間に素線が入り込むことを抑制できる。
【００７９】
本実施形態の開閉器１において、器体７は、電線１０４の導電部１０５が挿入される挿入孔７７を更に有し、以下のように構成されたことが好ましい。解除部５は、開口部７２から露出可能なマークＭ１を有する。解除部５は、挿入孔７７に挿入された電線１０４の導電部１０５の挿入量が所定量に達すると、開口部７２からマークＭ１が露出するように構成されている。上記構成によれば、マークＭ１は、電線１０４の導電部１０５が挿入孔７７に挿入され、かつその挿入量が所定量に達したことを示す。そのため、作業者は、電線１０４の導電部１０５を挿入孔７７に挿入した際に、器体７の開口部７２から露出したマークＭ１を確認することにより、導電部１０５が速結端子２に接続されたことを確認できる。また、作業者は、電線１０４の導電部１０５を挿入孔７７に挿入した際に、開口部７２からマークＭ１が見えない場合は、導電部１０５と速結端子２とが不完全な接続状態となっていることを知ることができる。
【００８０】
ところで、器体７のカバー７０における突起７３と、解除部５の溝５３とは、軸部５５を中心とする円弧状に設けられることに限定されない。溝５３の幅は、突起７３の幅と比べて、解除部５がカバー７０に対して所定の角度だけ回転可能な程度に広い場合には、ｙ軸方向に沿う直線状であってもよい。また、器体７のカバー７０における突起７３と、解除部５の溝５３とは、互いに逆の関係であってもよい。例えば、器体７のカバー７０に解除部５の軸部５５を中心とする円弧状の溝が設けられ、かつ解除部５に軸部５５を中心とする円弧状の突起が設けられてもよい。その場合でも、円弧状の突起が円弧状の溝に挿入されることにより、解除部５がカバー７０に組み合わせ可能であり、かつ解除部５は軸部５５を中心として回転移動することができる。
【００８１】
器体７のカバー７０における突起７３と、解除部５の溝５３とは、それぞれ２つずつ設けられることに限定されず、１つずつ設けられてもよい。要するに、１つの突起７３が１つの溝５３に挿入された状態で、解除部５がカバー７０の開口部７２内に配置されてカバー７０に組み合わせ可能となっていてもよい。
【００８２】
解除部５は、軸部５５を中心として回転移動することに限定されず、例えばｙ軸方向に沿ってスライド移動などして移動可能に構成されていてもよい。要するに、解除部５の操作部５２と、解除部５の接触部５４と、解除部５の突出部５７との各々が、解除部５の移動に応じて移動可能に構成されていればよい。
【００８３】
解除部５の回転体５１における軸部５５は円柱状の他にも、例えば四角柱状などの多角形の柱状でもよい。また、解除部５の回転体５１には、軸部５５が設けられていることに限定されず、例えば、器体７に設けられた棒状の部材が挿入される凹部又は軸孔などを有していて、回転体５１が棒状の部材により回転自在に支持されていてもよい。要するに、回転体５１は、器体７に対して回転自在に構成されていればよい。
【００８４】
開閉器１は、解除部５と、速結端子２と、接点部２００と、端子３００と、を２つずつ有することに限定されず、それぞれを少なくとも１つずつ有していればよい。
【００８５】
解除部５の板部５６と、器体７のカバー７０における隙間７５と、解除部５のマークＭ１との各々は、適宜省略可能である。例えば、隙間７５が省略された場合、カバー７０の突起７３が、器体７のカバー７０における側部７８に達するように設けられていてもよい。
【００８６】
電線１０４の導電部１０５は、より線であることに限定されず、単線であってもよい。
【００８７】
開閉器１は、操作ハンドル１０１の回転移動に応じて接点部２００が電路３１０を電気的に接続及び遮断することに限定されず、例えば、電路３１０に生じる熱や過電流などによって接点部２００が電路３１０を電気的に遮断する遮断機構を有していてもよい。
【００８８】
速結端子２は、電線１０４の導電部１０５の他にも、例えば、電線１０４の導電部１０５に設けられた圧着端子などの接続導体と電気的に接続されてもよい。その場合、抜止部４２の先端が接続導体に引っかかって接続導体の抜け止めを行う。
【００８９】
開閉器１は、直流回路の電流を開閉する用途に限定されず、交流回路の電流を開閉する用途に使用されてもよい。
【符号の説明】
【００９０】
１  開閉器
２  速結端子
３１  端子部
３２  側板
４  錠ばね
４２  抜止部
４２１  先端（抜止部における端子部に最も近い部位）
５  解除部
５１  回転体
５２  操作部
５３  溝
５４  接触部
５５  軸部（回転体の回転軸）
５６  板部
７  器体
７０  カバー
７１  ボディ
７２  開口部
７３  突起
７４１，７４２  側壁
７５  隙間
７７  挿入孔
７８  側部（開口部の周縁）
１００  構造体
１０４  電線
１０５  導電部
２００  接点部
３００  端子
３１０  電路
Ｍ１  マーク
【図１】
2017224535.tif 000003
【図２】
2017224535.tif 000004
【図３】
2017224535.tif 000005
【図４】
2017224535.tif 000006
【図５】
2017224535.tif 000007
【図６】
2017224535.tif 000008
【図７】
2017224535.tif 000009